(57)【要約】【課題】電気機器が有するコネクタの形状に関係なく、１つのコードで複数種類の電気機器を接続するようにすることができるアダプタを提供する。【解決手段】複数の電線からなるコードの各電線に接続された複数の差込端子を有する差込口に対応する構造の受端子４１０を有する一つの受け口４１と、複数の電気機器がそれぞれ具備するとともに一つの受け口４１とは異なる構造の受端子を有する複数種類の受け口に対応する構造の差込端子をそれぞれ有する複数種類の差込口４２及び４３とを備えるとともに、一つの受け口４１の各受端子４１０と対応する各差込口４２及び４３の各差込端子４２０及び４３０とをそれぞれ電気的に接続して一体化した。【選択図】図４
2007115473.tif 000002
【特許請求の範囲】
【請求項１】
複数の電線からなるコードの前記各電線に接続された複数の差込端子を有する差込口に対応する構造の受端子を有する一つの受け口と、
複数の電気機器がそれぞれ具備するとともに前記一つの受け口とは異なる構造の受端子を有する複数種類の受け口に対応する構造の差込端子をそれぞれ有する複数種類の差込口とを備えるとともに、
前記一つの受け口の各受端子と対応する前記各差込口の各差込端子とをそれぞれ電気的に接続して一体化したことを特徴とするアダプタ。
【請求項２】
前記受け口及び前記差込口が、多面形状を有する筺体に一体化して収納されたことを特徴とする請求項１記載のアダプタ。
【請求項３】
前記差込口には、前記複数種類の受け口に対応した異なる規制部材がそれぞれ形成されていることを特徴とする請求項１又は２の何れかに記載のアダプタ。
【請求項４】
前記受け口又は前記差込口は、前記筺体が有する上下方向の面上又は左右方向の面上に配設されたことを特徴とする請求項２又は３の何れかに記載のアダプタ。
【請求項５】
前記複数種類の差込口は、前記筺体の各面方向に対してそれぞれ可動可能であるように構成されたことを特徴とする請求項２〜４の何れかに記載のアダプタ。
【発明の詳細な説明】
【技術分野】
【０００１】
本発明は、アダプタに関し、特に受け口及び差込口の形式の異なる複数種類の電気機器をコードで接続する場合に効率性に優れたアタプタに関する。
【背景技術】
【０００２】
従来から、電力会社などに設置されている光端局他の通信装置は、例えば、レベル測定時などに弾器コードという測定の専用コードを装置側とテスト盤側に挿入して電気的に接続することで測定を行っている。この弾器コードは、各メーカや通信装置に対応する機種ごとにコネクタ部分の形状が異なり、大きく３種類に分かれており、場合によっては、両端の形状が異なるコードも存在する。
【０００３】
具体的には、図６の（ａ）、（ｂ）、及び（ｃ）に示されているような３種類のコネクタ形状が主に存在する。これらは、差込口に対応した受け口がそれぞれ決まっており、図６に示す例では、受け口Ａには差込口１だけが挿入でき、受け口Ｂには差込口２だけが挿入でき、受け口Ｃには差込口３だけが挿入できるようになっている。
【０００４】
ここで、図６（ａ）に示された受け口Ａと差込口１を取り上げて説明する。図７には、受け口Ａに対する差込口１の挿入前（ａ）、挿入中（ｂ；但し、受端子１０及び差込端子２０のみを図示する）、及び接続完了（Ｃ；但し、受端子１０及び差込端子２０のみを図示する）の状態が示されている。まず、受け口Ａの導電部となる受端子１０に対して、差込口１の導電部となる差込端子２０を差込むことにより、通常時には接続されている受端子１０が開いて、受け口Ａ側の回路が切断される前に接触が行われ、接触後さらに挿入することで受け口Ａ側の回路が差込端子２０を介して電気的に接続される（挿入中）。そして、差込端子２０の凸部の全体が受端子１０の凹部の底面に嵌合される。これにより、受端子１０の各端子が差込端子２０の対応する各端子と接点を持つことになり、受端子１０の一端の端子から差込端子２０の一端の端子を介して、例えば、接続されているメータ３０を経て差込端子２０の他端の端子から受端子１０の他端の端子へと電気的に接続されるようになっている（接続完了）。
【０００５】
上述したように、現状では、弾器（コネクタ部分）の形状が数種類あるため、例えば、通信装置の何らかの値をテスト盤で測定するに際して、その通信装置とテスト盤の受け口に確実に嵌合する弾器コードを上記弾器の種類ごとに用意しておく必要があり作業時の準備に手間がかかるという問題があった。すなわち、弾器コードを確実且つ迅速に選定して、作業を遂行する必要があった。また、それに伴い数種類の弾器コードを管理・保管しておかなければならないという管理上の問題もあった。
【０００６】
また、コネクタに関連する技術として、例えば、作業性に優れたコネクタとして、積層タイプのコネクタを多数まとめて相手側コネクタに嵌合できるコネクタが開示されているが（特許文献１参照）、コネクタ部分の形状が異なる装置に電気的な接続をする際の作業性を効率化するための構成等を考慮したものではないため、上述のような状況には適用できるものではなかった。
【０００７】
【特許文献１】特開２００５−２０３２５１号公報
【発明の開示】
【発明が解決しようとする課題】
【０００８】
本発明はこのような事情に鑑み、電気機器が有するコネクタの形状に関係なく、１つのコードで複数種類の電気機器を接続するようにすることができるアダプタを提供することを課題とする。
【課題を解決するための手段】
【０００９】
上記課題を解決する本発明の第１の態様は、複数の電線からなるコードの前記各電線に接続された複数の差込端子を有する差込口に対応する構造の受端子を有する一つの受け口と、複数の電気機器がそれぞれ具備するとともに前記一つの受け口とは異なる構造の受端子を有する複数種類の受け口に対応する構造の差込端子をそれぞれ有する複数種類の差込口とを備えるとともに、前記一つの受け口の各受端子と対応する前記各差込口の各差込端子とをそれぞれ電気的に接続して一体化したことを特徴とするアダプタにある。
【００１０】
かかる第１の態様では、一つの受け口の各受端子と対応する各差込口の各差込端子とをそれぞれ電気的に接続して一体化している。これにより、電気機器が有するコネクタの形状に関係なく、１つのコードを複数種類の電気機器に対して容易に利用することができる。そして、例えば、電気機器に合わせたコードの準備や運搬が容易となり、作業を効率的に遂行することも可能となる。また、各電気機器に合わせた数種類のコードを保管する必要もなくなるため、保管などの管理面においても非常に効率的となる。
【００１１】
本発明の第２の態様は、前記受け口及び前記差込口が、多面形状を有する筺体に一体化して収納されたことを特徴とする第１の態様記載のアダプタにある。
【００１２】
かかる第２の態様では、受け口及び差込口が、多面形状を有する筺体に一体化して収納されている。これにより、管理の面で手間や無駄のないコンパクトなアダプタを提供することが可能となる。
【００１３】
本発明の第３の態様は、前記差込口には、前記複数種類の受け口に対応した異なる規制部材がそれぞれ形成されていることを特徴とする第１又は２の何れかの態様に記載のアダプタにある。
【００１４】
かかる第３の態様では、差込口には、複数種類の受け口に対応した異なる規制部材がそれぞれ形成されている。これにより、それぞれの受け口に対応する差込口を確実に挿入することができると共に、例えば、誤挿入などを防止することもできる。
【００１５】
本発明の第４の態様は、前記受け口又は前記差込口は、前記筺体が有する上下方向の面上又は左右方向の面上に配設されたことを特徴とする第２又は３の何れかの態様に記載のアダプタにある。
【００１６】
かかる第４の態様では、受け口又は差込口が、筺体が有する上下方向の面上又は左右方向の面上に配設されている。これにより、例えば、電気機器の受け口に対して、適宜効率よく対応する差込口を挿入することができる。
【００１７】
本発明の第５の態様は、前記複数種類の差込口は、前記筺体の各面方向に対してそれぞれ可動可能であるように構成されたことを特徴とする第２〜４の何れかの態様に記載のアダプタにある。
【００１８】
かかる第５の態様では、複数種類の差込口が、筺体の各面方向に対してそれぞれ可動可能であるように構成されている。これにより、例えば、電気機器の受け口に対して対応する差込口を挿入し易い構成に変形することができるため、容易に挿入することができる。
【発明の効果】
【００１９】
本発明によれば、規格で定まる受け口の各受端子と対応する複数の各差込口の対応する各差込端子とをそれぞれ電気的に接続して一体化して構成したため、電気機器が有するコネクタの形状に関係なく、１つのコードを複数種類の電気機器に対して効率的且つ容易に用いることができる。
【発明を実施するための最良の形態】
【００２０】
以下、図面を用いて本発明を実施するための最良の形態について説明する。なお、本実施形態の説明は例示であり、本発明の構成は以下の説明に限定されない。
【００２１】
図１は本発明の一実施形態に係るアダプタの使用形態を示す概略図である。なお、本実施形態は、通信装置にテスト盤を介して測定器を接続させて所定の試験又は測定を行う場合を例示している。
【００２２】
図示するように、各通信装置１（Ａ、Ｂ、Ｃ）とテスト盤２がコード３を介して電気的に接続されるようになっている。各通信装置１は、それぞれメーカや機種が異なっており、当然にコネクタ部分の形状も異なっている。また、コード３は、複数の電線からなるコードであり、その一端がテスト盤２に接続され、他端がアダプタ４に接続されている。このような状態により、複数の通信装置１を１つのコード３で電気的に接続することが可能となる。例えば、通信装置１Ａとテスト盤２を接続する場合は、通信装置１Ａに適合する構造を持つアダプタ４の端子５側（コネクタ）を挿入する。また、通信装置１Ｂとテスト盤２を接続する場合は、通信装置１Ｂに適合する構造を持つアダプタ４の端子６側（コネクタ）を挿入する。また、通信装置１Ｃとテスト盤２を接続する場合は、通信装置１Ｃに適合する構造を持つコード３の端子７側をそのまま挿入する。
【００２３】
上述のような使用形態により、アダプタ４を採用することで、１つのコード３で複数の通信装置１を電気的に接続して、必要な測定値などを得ることができる。
【００２４】
ここで、アダプタ４の外観構成について説明する。図２は本発明の一実施形態に係るアダプタを示す斜視図であり、図３は本発明の一実施形態に係るアダプタの構造を示す三面図である。
【００２５】
図２に示すように、本実施形態のアダプタ４は、長方形の立体形状からなる筺体４０と、その正面に受け口４１と、その左右方向にそれぞれ異なる形状を有する差込口４２及び４３とを有している。
【００２６】
具体的には、図３に示すように、受け口４１は、コード３の各電線に複数の差込端子を有する差込口（図示せず）に対応する構造の受端子４１０を有している。一方、差込口４２及び４３は、複数の電気機器（例えば、図１に示す複数の通信装置１）をそれぞれ具備するとともに、受け口４１とは異なる構造の受端子を有する複数種類の受け口（図示せず）に対応する構造の差込端子４２０及び４３０をそれぞれ有している。これら差込口４２及び４３は、複数種類の受け口（図示せず）に対応した異なる規制部材（後述する）がそれぞれ形成されている。そして、一つの受け口４１の各受端子４１０と各差込口４２及び４３の対応する各差込端子４２０及び４３０とがそれぞれ電気的に接続されて一体化している。すなわち、アダプタ４の内部において、受端子４１０、差込端子４２０及び４３０がリード線５０を介して電気的に接続されている。
【００２７】
このようにして、本実施形態のアダプタ４は、一つの受け口４１と複数種類の差込口４２及び４３とが、筺体４０に一体化して収納されている。
【００２８】
なお、受け口４１は、図１に示されたコード３の端子７を有する差込口が挿入されるアダプタ４の受け口に相当し、差込口４２及び４３は、図１に示された端子５及び６を有するアダプタ４の差込口に相当する。
【００２９】
次に、アダプタ４の電気的な内部構成について説明する。図４は本発明の一実施形態に係るアダプタの接続構成を示す構成図である。
【００３０】
図４に示すように、受け口４１、差込口４２及び４３は、１〜１２番までの端子（受端子４１０、差込端子４２０及び４３０）を有しており、それぞれに対応する差込口や受け口を挿入する際のガイドとなる異なる規制部材６１、６２、及び６３が形成されている。これにより、確実に対応する受け口と差込口が規制部材に従って嵌合される。さらに、差込口４２及び４３には、それぞれ異なる形状を持つ絶縁体７２及び７３が形成されている。これにより、端子同士の不要な接触が防止されて、例えば、短絡などを防止することができる。
【００３１】
また、各端子同士は、リード線５０により接続パターンを構成している。ここで、受け口４１が有する受端子１〜１２番は、差込口４２又は４３がそれぞれ有する差込端子１〜１２番と電気的に接続されるようになっている。このとき、例えば、差込口４２を使用する場合は、受け口４１が有する受端子１〜１２番と差込口４２が有する差込端子１〜１２番とが電気的に接続され、差込口４３を使用する場合は、受け口４１が有する受端子１〜１２番と差込口４３とが有する差込端子１〜１２番が電気的に接続されることになる。
【００３２】
上述したようなアダプタ４により、通信機器１が有するコネクタの形状に関わらず、１つのコード３で、３種類の受け口（コネクタ）に容易に対応することができる。また、１つのコード３を管理しておくだけで済むため、例えば、作業時のコードの運搬や作業前後のコードの管理体制を考慮しても無駄な手間がかからず効率的である。
【００３３】
（他の実施形態）
上述した実施形態では、筺体４０に対して受け口４１が正面に配設されており、且つ差込口４２及び４３が正面から見て左右方向の面上に配設されている場合を例示しているが、これに限定されず、例えば、受け口４１又は差込口４２及び４３を筺体４０が有する上下方向の面上に配設するようにしてもよい。
【００３４】
また、上述した実施形態では、長方形の立体形状からなる筺体４０を例示しているが、これに限定されず、例えば、長方形以外の多面形状を有する筺体を採用するようにしてもよい。
【００３５】
また、上述した実施形態では、固定された多面形状からなる筺体４０に受け口４１、差込口４２及び４３を収納しているが、これに限定されず、例えば、複数種類の差込口を筺体４０の各面方向に対してそれぞれ可動可能であるように構成するようにしてもよい。例えば、図５に示すように、筺体４０ａを差込口ごとにスライド可能に形成したアダプタ４Ａを採用するようにしてもよい。この場合、複数種類の差込口４２ａ及び４３ａは、対応する受端子の差込時に筺体４０ａに対して凸部となるように形成される。すなわち、差込みをする差込口側を図５（ａ）に示す状態から図５（ｂ）に示す状態へとスライドさせる構成となる。これにより、より効率的に電気機器の受け口に対して対応する差込口を挿入することができる。
【産業上の利用可能性】
【００３６】
本発明のアダプタは、複数種類のコネクタ形状からなる各々の装置を測定・検査する際に利用することができる。
【図面の簡単な説明】
【００３７】
【図１】本発明の一実施形態に係るアダプタの使用形態を示す概略図である。
【図２】本発明の一実施形態に係るアダプタを示す斜視図である。
【図３】本発明の一実施形態に係るアダプタの構造を示す三面図である。
【図４】本発明の一実施形態に係るアダプタの接続構成を示す構成図である。
【図５】本発明の一実施形態に係る変形例を示す図である。
【図６】本発明の一実施形態に係る従来の技術を説明する図である。
【図７】本発明の一実施形態に係る従来の技術を説明する図である。
【符号の説明】
【００３８】
１（１Ａ、１Ｂ、１Ｃ）  通信装置
２  テスト盤
３  コード
４、４Ａ  アダプタ
５、６、７  端子
１０、４１０  受端子
２０、４２０、４３０  差込端子
３０  メータ
４０、４０ａ  筺体
４１  受け口
４２、４３  差込口
５０  リード線
６１、６２、６３  規制部材
７２、７３  絶縁体
【図１】
2007115473.tif 000003
【図２】
2007115473.tif 000004
【図３】
2007115473.tif 000005
【図４】
2007115473.tif 000006
【図５】
2007115473.tif 000007
【図６】
2007115473.tif 000008
【図７】
2007115473.tif 000009